(57)【要約】      （修正有）【課題】プラグフェルールに対して光レセプタクルの径方向に荷重が加わった場合、その荷重はプラグフェルールからスリーブに伝わり、割スリーブ径が拡張しプラグフェルールとファイバスタブの保持が不可能となる不具合が発生することがあった。【解決手段】底面に貫通孔が形成された開口部を有する有底カップ状の金属ホルダ４と、フェルール１ａの中央に光ファイバ１ｃを固定するとともに、後端部を上記金属ホルダ４の貫通孔４ａに挿入固定してなるファイバスタブ１と、該ファイバスタブ１の先端部を一方の開放端部から挿入するとともに、他方の開放端部から挿入されたプラグフェルール１２を上記ファイバスタブ１の先端面に当接し、かつ、把持するための割スリーブ３と、筒状のケース５とからなる光レセプタクルにおいて、上記プラグフェルール１２を割スリーブ３に挿入して拡張した割スリーブ３の外周面と当接するピン６を上記ケース５の内周面に取着した。【選択図】図１
2006178384.tif 000002
【特許請求の範囲】
【請求項１】
底面に貫通孔が形成された開口部を有する有底カップ状の金属ホルダと、フェルールの中央に光ファイバを固定するとともに、後端部を上記金属ホルダの貫通孔に挿入固定してなるファイバスタブと、該ファイバスタブの先端部を一方の開放端部から挿入するとともに、他方の開放端部から挿入されたプラグフェルールを上記ファイバスタブの先端面に当接し、かつ、把持するための割スリーブと、該割スリーブを収納するとともに上記金属ホルダの開口部に挿入固定する筒状のケースとからなる光レセプタクルにおいて、上記プラグフェルールを割スリーブに挿入して拡張した割スリーブの外周面と当接するピンを上記ケースの内周面に取着したことを特徴とする光レセプタクル。
【請求項２】
光ファイバをフェルールで固定してなるファイバスタブを割スリーブ内に嵌挿するとともに、該割スリーブを、筒状をなすケースの内部に、該ケースの内周面と上記割スリーブの外周面との間に所定の間隔をあけて配置した光レセプタブルであって、上記割スリーブの外周面と上記ケースの内周面との間に、上記割りスリーブからの圧力印加に伴い少なくとも一部が弾性変形し得る保持部材を介在させたことを特徴とする光レセプタクル。
【請求項３】
上記弾性体が樹脂、若しくはバネで形成されていることを特徴とする請求項２記載の光レセプタクル。
【請求項４】
上記ピンは上記ケースの厚み方向を貫通し圧入または接着するとともに上記金属ホルダに固定することで上記ケース及び金属ホルダを連結固定させたことを特徴とする請求項１に記載の光レセプタクル。
【請求項５】
上記ピンによるケースと金属ホルダとの固定は、上記金属ホルダの側壁の厚み方向に貫通させて固定したことを特徴とする請求項４に記載の光レセプタクル。
【請求項６】
上記ケースのピンは複数配置されており、上記割スリーブのスリットに複数のピンのうちの１つが挿入されて回転を規制していることを特徴とする請求項１に記載の光レセプタクル。
【請求項７】
請求項１〜６のいずれかに記載の光レセプタクルの後端側に光素子を収納したケースを取り付けたことを特徴とする光モジュール。
【発明の詳細な説明】
【技術分野】
【０００１】
本発明は光通信に用いられる光レセプタクル及び光モジュールに関する。
【背景技術】
【０００２】
従来から、光信号を電気信号に変換するために、半導体レーザーやフォトダイオード等の光素子をケース内に収納し、このケースを光ファイバの端面に対向して設け、光信号を光ファイバの端面に入射または出射し、光ファイバを通じて光信号を導入又は導出するような光学装置が開示されている。
【０００３】
ここで、半導体レーザーをケース内に収容し、光信号を導出するものを発光モジュール、フォトダイオードをケース内に収容し、光信号を導入するものを受光モジュールと呼び、これらを総称して光モジュールと呼ばれている。
【０００４】
上記光モジュールのうち光コネクタを接続するようにしたレセプタクル型の光モジュールは、図５に示すように光レセプタクル２７ａの一端に光素子２９を備えるとともに、他端に光コネクタ３２を接続するものである（特許文献１参照）。
【０００５】
上記光レセプタクル２７ａは、ジルコニア、アルミナ等のセラミック材料からなるフェルール２１ａと、該フェルール２１ａの貫通孔２１ｂに石英ガラス等からなる光ファイバ２１ｃを挿入し、接着剤２２により接着固定して得られたファイバスタブ２１の後端部を金属ホルダ２４の貫通孔２４ａに圧入により固定し、先端部をスリーブ２３の内孔に挿入するとともに、それらを絶縁性を有する樹脂製のケース２５に固定することによって構成されている。金属ホルダ２４とケース２５は、ケース２５に設けられたオス型の嵌合ツメ１３ａが、金属ホルダ２４に設けられたメス型の嵌合ツメ１３ｂと嵌合され、更に嵌合部１３に接着剤を塗布することにより強固に固定されている。
【０００６】
また、上記ファイバスタブ２１の先端面は、光コネクタとの当接時の挿入損失を減らすために曲率半径５〜３０mm程度の曲面に鏡面研磨されており、後端面は、ＬＤ等の光素子２９から出射された光が光ファイバ２１ｃの先端面で反射して光素子２９に戻る反射光を防止するため、光ファイバ２１ｃを挿通するフェルール２１ａとともに４〜１０°程度の傾斜面に鏡面研磨されている。
【０００７】
さらに、上記光レセプタクル２７を用いて光モジュール３１を構成する場合は、光レセプタクル２７の先端面側よりスリーブ２３内に光コネクタ３２を挿入し、光ファイバ２１ｃと、光素子２９とレンズ２８を備えたケース３０を最も効率よく光信号が導入、導出される位置に調心し、溶接固定する。光コネクタ３２のプラグフェルール３２ａ外径公差は±１μｍ以下で、その貫通孔３２ｂに備えられた光ファイバ３２ｃの中心には光信号が伝搬する直径１０μｍ程度のコアがある。ケース２５が金属製である場合は、光コネクタ３２挿入時に、光コネクタ３２保持者に蓄えられていた静電気が、光コネクタ３２保持者から金属製のケース２５と金属ホルダ２４を介して光素子２９に伝わってしまい、光素子２９が静電破壊されることがあった。そのため、ケース２５を樹脂製とし、静電気が光素子２９に伝達されることを防止している。
【０００８】
また、フェルール２１ａの外径公差は±１μｍ以下で、その貫通孔２１ｂに備えられた光ファイバ２１ｃの中心には光信号が伝搬する直径１０μｍ程度のコアがある。光ファイバ２１ｃ及び３２ｃのコア同士を損失の少ない接続とするため、スリーブ２３によってファイバスタブ２１及び光コネクタ３２は安定且つ高精度に保持される。
【０００９】
また、金属ホルダ２４は、セラミック材料からなるファイバスタブ２１よりも熱膨張係数が大きいため、高温時での金属ホルダ２４によるファイバスタブ２１の保持強度を十分に確保する目的で、常温での保持強度を５０Ｎ以上に設定することが多い。
【特許文献１】特開２００１−０６６４６８号公報
【発明の開示】
【発明が解決しようとする課題】
【００１０】
しかしながら、図５に示すようなプラグフェルール３２ａとファイバスタブ２１は、スリーブ２３により連結、保持されている。そのため、プラグフェルール３２ａに対して光レセプタクル２７の径方向に荷重が加わった場合、その荷重はプラグフェルール３２ａからスリーブ２３に伝わり、プラグフェルール３２ａとファイバスタブ２１の接続点において、割スリーブ径が拡張し続け、最悪の場合は破壊され、プラグフェルール３２ａとファイバスタブ２１の保持が不可能となることがあった。
【００１１】
また、割スリーブ２３が破壊されなくとも、割スリーブ径の拡張により、プラグフェルール３２ａのファイバスタブ２１に当接保持が不安定になり、ファイバスタブ２１に対して傾くことがある。その結果として、プラグフェルール３２ａの光ファイバ３２ｃとファイバスタブ２１の光ファイバ２１ｃの接続位置にズレが発生し、光信号のやりとりが不可能となる不具合が発生することがあった。また、割スリーブ径の拡張は、割スリーブ２３のスリット２３ａと割スリーブ径の中心を結んだ線に対して、荷重が垂直方向に加わったときにより顕著に発生する。
【００１２】
また、図６に示すように、金属ホルダ２４内部において、割スリーブ２３の外周を囲むように、割スリーブ径拡張防止部１４を設けることも考えられるが、金属ホルダ２４の加工が不可能な場合があり、また仮に加工可能であっても非常に高価となる。
【００１３】
また、金属ホルダ２４と樹脂製ケース２５の固定を、ケース２５に設けられたオス型の嵌合ツメ１３ａを金属ホルダ２４に設けられたメス型の嵌合ツメ１３ｂと嵌合させることにより行う場合、金属ホルダ２４内のメス型の嵌合ツメ１３ｂの加工は特殊な工具が必要となり、金属ホルダ２４は、嵌合ツメ１３ｂが無い場合と比較して非常に高価なものとなり、その結果として、樹脂製ケース２５を使用した光レセプタクル２７は非常に高価である。
【００１４】
また、樹脂製ケース２５と金属ホルダ２４を固定するには、嵌合ツメを用いず、接着剤のみで固定する方法もあるが、高温高湿時には接着剤が劣化し、上記ケース２５と上記金属ホルダ２４の固定強度が低下し、プラグフェルール３２ａ着脱時に、ケース２５と金属ホルダ２４が分離することにより光レセプタクル２７が分解し、使用不可能となることがある。
【課題を解決するための手段】
【００１５】
上記課題に鑑みて本発明は、底面に貫通孔が形成された開口部を有する有底カップ状の金属ホルダと、フェルールの中央に光ファイバを固定するとともに、後端部を上記金属ホルダの貫通孔に挿入固定してなるファイバスタブと、該ファイバスタブの先端部を一方の開放端部から挿入するとともに、他方の開放端部から挿入されたプラグフェルールを上記ファイバスタブの先端面に当接し、かつ、把持するための割スリーブと、該割スリーブを収納するとともに上記金属ホルダの開口部に挿入固定する筒状のケースとからなる光レセプタクルにおいて、上記プラグフェルールを割スリーブに挿入して拡張した割スリーブの外周面と当接するピンを上記ケースの内周面に取着したことを特徴とする。
【００１６】
さらに、上記ピンは上記ケースの厚み方向を貫通し圧入または接着するとともに上記金属ホルダに固定することで上記ケース及び金属ホルダを連結固定させたことを特徴とする。
【００１７】
さらに、上記ピンによるケースと金属ホルダとの固定は、上記金属ホルダの側壁の厚み方向にも貫通させて固定したことを特徴とする。
【００１８】
さらに、上記ケースのピンは複数配置されており、上記割スリーブのスリットに複数のピンのうちの１つが挿入されて回転を規制していることを特徴とする。
【００１９】
また、本発明の光レセプタクルは、光ファイバをフェルールで固定してなるファイバスタブを割スリーブ内に嵌挿するとともに、該割スリーブを、筒状をなすケースの内部に、該ケースの内周面と上記割スリーブの外周面との間に所定の間隔をあけて配置した光レセプタブルであって、上記割スリーブの外周面と上記ケースの内周面との間に、上記割りスリーブからの圧力印加に伴い少なくとも一部が弾性変形し得る保持部材を介在させたことを特徴とする。
【００２０】
さらに、上記弾性体が樹脂、若しくはバネで形成されていることを特徴とする。
【００２１】
また、上記した本発明の光レセプタクルの後端側に光素子を収納したケースを取り付けて光モジュールを構成したことを特徴とする。
【発明の効果】
【００２２】
本発明によれば、過剰な割スリーブ径の拡張を防止するとともに、径方向の荷重が加わっても、割スリーブの破壊を防止し、かつ、プラグフェルールとファイバスタブとの当接を常に安定させることができ、プラグフェルールの光ファイバとファイバスタブの光ファイバの接続位置で生じるズレを有効に防止できるため、良好な光信号のやりとりが実現できるものである。
【００２３】
また、上記ピンは、ホルダの外側からケース及び金属ホルダの厚み方向を貫通して連結固定され、かつ、割スリーブに当接するという簡易な構造であるため、製造が容易で低価格で実現可能である。また、上記ケースが樹脂製の場合、金属ホルダにメス型のツメの加工が不要となり、安価にケースと金属ホルダを固定することが可能となる。
【００２４】
またさらに、上記ピンは複数配置されており、上記割スリーブのスリットに複数のピンのうちの１つが挿入されて回転を規制していることにより、常に割スリーブの同じ位置に当接可能であり、荷重の方向に依らずに安定して割スリーブ径の拡張を防止可能となる。
【発明を実施するための最良の形態】
【００２５】
以下、本発明の実施形態を図面に基づいて説明する。
【００２６】
図１は本発明の光レセプタクルの一実施例を示す中央断面図、図２は本発明の光レセプタクルを用いた光モジュールを示す中央断面図である。
【００２７】
光レセプタクル７は、底面に貫通孔４ａが形成された開口部を有する有底カップ状の金属ホルダ４と、フェルール１ａの中央に設けた貫通孔１ｂに光ファイバ１ｃを固定するとともに、後端部を上記金属ホルダ４の貫通孔４ａに挿入固定してなるファイバスタブ１と、該ファイバスタブ１の先端部を一方の開放端部から挿入するとともに、他方の開放端部から挿入されたプラグフェルール１２ａを上記ファイバスタブ１の先端面に当接し、かつ、把持するための割スリーブ３と、該割スリーブ３を収納するとともに上記金属ホルダ４の開口部に挿入固定する筒状のケース５とから構成されている。
【００２８】
金属ホルダ４は、図２に示すような光レセプタクル７の後端側に光素子９及びレンズ８が収納されたケース１０と溶接することが多いため、鉄、ニッケルなどの溶接が可能な材料が選ばれる。特には耐腐食性と溶接性を考慮して、ステンレスを用いることが好ましい。また、カップの開口径はケース５が嵌合もしくは圧入可能な大きさの直径に調整されており、ケース５を固定可能な側壁の厚み、材質を選定してもよい。ケース５と金属ホルダ４はカップの開口内で嵌合又は接着にて固定される。また、同様に貫通孔４ａはファイバスタブ１の外径と比較して直径が少し小さくなるように形成され、ファイバスタブ１が貫通孔４ａ内に圧入固定される。
【００２９】
ファイバスタブ１はその先端面は、光コネクタ１２との接続損失を低減させるため曲率半径５〜３０ｍｍ程度の曲面状に加工され、後端面はＬＤ等の光素子から出射された光が光ファイバ１ｃの端面で反射して光素子９に戻る反射光を防止するため４〜１０°程度の傾斜面に鏡面研磨されている。
【００３０】
割スリーブ２は円筒状の長手方向全体にスリットが入ったものであり、ファイバスタブ１の先端部を一方の開放端部から挿入した際に、適宜拡張するように構成されている。
【００３１】
ファイバスタブ１のフェルール１ａやスリーブ３の材質としては、フェルール１ａはジルコニア、アルミナなどのセラミックを用いるのが好ましく、スリーブ３はジルコニア、アルミナ、銅などを用いるのが好ましい。主には耐摩耗性を考慮して、フェルール１ａ及びスリーブ３は共にジルコニアなどのセラミック材料を用いることが特に好ましい。
【００３２】
ケース５は筒状の中でも円筒体が用いられ、その内径は割スリーブ３が挿脱可能な大きさに形成されており、ファイバスタブ１の先端が保持された割スリーブ３を覆い保護する。また、ケース５の内周面には、割スリーブの過剰変形を防止するための保持部材６を設け、接着剤等で接着されている。
【００３３】
ケース５は耐摩耗性、溶接性を配慮する必要がないため、ステンレス、銅、鉄、ニッケル、樹脂などの幅広い材料が用いられるが、金属製である場合は、光コネクタ１２挿入時に、光コネクタ１２を持った保持者に蓄えられていた静電気が、光コネクタ１２を持った保持者から金属製のケース５と金属ホルダ４、金属製のケース１０を介して光素子９に伝わってしまい、光素子９が静電破壊されることがあるため、ケース５を樹脂製とすると、静電気が光素子９に伝達されることを防止でき、光素子９の静電破壊防止に効果的である。そのため、本発明ではケース５を樹脂製とするのが好ましい。
【００３４】
プラグフェルール１２ａは、光コネクタ１２の構成部品であり、図１（ｂ）に示すように、上記光レセプタクル７を用いて光信号をやりとりする際に、スリーブ３の他方の開放端側より挿入され、その端面をプラグフェルール１２ａに保持された光ファイバ１２ｃとファイバスタブ１端面の光ファイバ１ｃに接続されるものである。
【００３５】
次に本発明に用いる保持部材６の特徴について更に詳説する。
【００３６】
まず、プラグフェルール１２を割スリーブ３の他方の開放端側から挿入する前は図１（ａ）のように、例えば、保持部材６をピン形状とする場合、割スリーブ３の外周面３ｂに保持部材６の先端が当接せずに割スリーブ３はフリーの状態でファイバスタブ１の一端を通じて金属ホルダ４に保持されている。次に、図１（ｂ）に示す様に、プラグフェルール１２を割スリーブ３の他方の開放端側から挿入することで割スリーブ３の他方の開放端側を拡張しながら挿入されていくが、その際保持部材６は、割スリーブ３の外周面３ｂと該保持部材６の先端が当接して割スリーブ３の拡張を規制しており、プラグフェルール１２からの圧力印加に伴う割スリーブ３の過渡な弾性変形を防止している。
【００３７】
このように、割スリーブの変形を規制する位置としては、ファイバスタブ１の先端とプラグフェルール１２の先端とが接続される側、特にファイバスタブ１の先端から中央までの位置に相当する割スリーブ３の外周面であるのが好ましい。特に好ましくは、図２に示す様に、上記ケース５の厚み方向及び金属ホルダ４の側壁を貫通し、金属ホルダ４の側壁の外側から上記ピンを圧入または挿入するとともにケース５と金属ホルダ４を圧入または接着することで連結、固定することである。
【００３８】
また、上記ピンの材質としては、金属ホルダ４と同じ材質若しくは熱膨張係数が近い金属により形成されるのが好ましく、直径は０．３〜２ｍｍ程度が望ましい。
【００３９】
一方、本発明の保持部材６を用いた他の実施形態として、図１（ｃ）では、割スリーブ３の外周面３ｂに保持部材６の先端６ａが当接しており、保持部材６の先端６ａを樹脂等の弾性材料若しくはバネにより形成している。そして、プラグフェルール１２を割スリーブ３の他方の開放端側から挿入することで割スリーブ３の他方の開放端側が拡張しながら挿入されていくが、その際、保持部材先端６ａも割スリーブ３の外周の拡張に合わせて変形するために、プラグフェルール１２の割スリーブ３への挿入が阻害されることはない。プラグフェルール１２挿入後は、割スリーブ３の外周面３ｂと保持部材６の先端６ａが当接して割スリーブ３の過度の拡張を規制している。また、保持部材６はピン状ではなく、割スリーブ３の外周に接する様なリング形状を有していても良い。
【００４０】
さらに、図１（ｄ）に示すように、割スリーブ３の外周面３ｂに保持部材６が当接しており、該保持部材６の割スリーブ外周３ｂ及びケース５と接しない部分が保持部材６ｂにより形成されていてもよい。また、保持部材６ｂは、例えばシリコンゴム、フッ素ゴム、天然ゴム、ウレタンゴム等で構成される樹脂の弾性材料、若しくは、例えば硬鋼線、ステンレス線、ピアノ線、黄銅線、りん青銅線等で構成されるバネにより形成されている。
【００４１】
そして、プラグフェルール１２を割スリーブ３の他方の開放端側から挿入することで割スリーブ３の他方の開放端側が拡張しながら挿入されていくが、その際、保持部材６ｂが割スリーブ３の外周の拡張に合わせて変形するために、プラグフェルール１２の割スリーブ３への挿入が阻害されることはない。プラグフェルール１２挿入後は、割スリーブ３の外周面３ｂと保持部材６が当接して割スリーブ３の過度の拡張を規制している。
【００４２】
このように、保持部材６は、割スリーブ３の変形による割スリーブ３からの圧力印加に伴って一部が弾性変形し得る構造になっていればよいため、割スリーブ３の変形に伴って弾性変形可能になるように保持部材６に弾性体を配置すればよいため、上述した構造に限定されるものではない。
【００４３】
また、図３に示すように、保持部材６がピンであれば、少なくとも９０°毎に４本設けることが好ましく、その内の１本は割スリーブ３のスリット３ａに挿入されており、プラグフェルール１２ａの割スリーブ３への挿抜時に、割スリーブ３の回転を規制している。この回転規制のための保持部材６の先端形状の一例を図４に示す。図４に示す先端形状としては（ａ）、（ｃ）、（ｅ）に示すものや（ｂ）、（ｄ）、（ｆ）に示すものがある。（ａ）、（ｃ）、（ｅ）では、保持部材６先端は、スリット幅に対して充分小さく、保持部材６先端をスリット３に容易に挿入することが可能である。また、（ｂ）、（ｄ）、（ｆ）では、保持部材６先端が円錐状である為、スリット３への保持部材６の挿入が容易である。保持部材６先端をスリット３ａに挿入し、割スリーブ３の回転を規制することにより、保持部材６は常に割スリーブ３の同じ位置に当接可能であり、荷重の方向に依らずに安定して割スリーブ３の内径の拡張を規制可能となる。また、上述のように保持部材６は、接着剤により金属ホルダ４及びケース５に固定されているが、更にケース５と金属ホルダ４は接着剤により固定されているため、従来の嵌合ツメ及び接着による固定と同等の固定強度を保持するだけでなく金属ホルダのメス型の嵌合ツメの加工が不要であるため、金属ホルダが安価になり、その結果、安価な光レセプタクルの製造が可能となる。
【実施例】
【００４４】
本発明の実施例を説明する。
【００４５】
図１（ａ）に示す本発明の実施例である光レセプタクル７を作製した。光レセプタクル７は、底面に貫通孔４ａが形成された開口部を有する有底カップ状の金属ホルダ４と、フェルール１ａの中央に光ファイバ１ｃを固定するとともに、後端部を金属ホルダ４の貫通孔４ａに挿入固定してなるファイバスタブ１と、ファイバスタブ１の先端部を一方の開放端部から挿入するとともに、他方の開放端部から挿入されたプラグフェルール１２ａをファイバスタブ１の先端面に当接し、かつ、把持するための割スリーブ３と、割スリーブ３を収納するとともに金属ホルダ４の開口部に挿入固定する筒状のケース５とが組立てられ、しかも、金属ホルダ４の側壁及び樹脂製ケース５の厚み方向を貫通することにより金属ホルダ４と樹脂製のケース５を固定し、プラグフェルール１２ａを割スリーブ３に挿入することで拡張した割スリーブ３の外周面に当接する保持部材６を図１（ａ）のように配置構成し、保持部材６としてピンを使用した。
【００４６】
用いるフェルール１ａとスリーブ３はジルコニア、金属ホルダ４及び保持部材６はステンレス、ケース５は樹脂で形成した。
【００４７】
保持部材６は、直径１ｍｍであり、９０°毎に４本配置し、金属ホルダ４及びケース５に接着固定した。また、４本の保持部材６の内の１本は、割スリーブ３のスリット３ａに挿入され、割スリーブ３の回転を規制している。更に、金属ホルダ４とケース５は接着剤及び保持部材６により強固に固定されている。
【００４８】
また、比較例として、上記と同じ材質で、嵌合ツメ及び接着剤を使用することによりケース２５と金属ホルダ２４を固定し、割スリーブ３の変形拡張防止機能を有さない光レセプタクル２７を作製した。サンプルは１０個用意した。
【００４９】
本発明のサンプル各１０個、比較例のサンプル１０個に対し、ファイバスタブと光コネクタを当接させ、プラグフェルールに対して光レセプタクルの径方向に４５°毎に荷重を加えた時の光出力の変化量を評価した。結果を表１に示す。
【表１】
2006178384.tif 000003
【００５０】
その結果、本発明の光レセプタクル７では、光出力の変化量の最大値は０．５０ｄＢ、最小値は０．１３ｄＢ、平均値は０．３５ｄＢ、標準偏差は０．０５ｄＢ、比較例の光レセプタクル２７では光出力の変化量の最大値は５．５２ｄＢ、最小値は３．０３ｄＢ、平均値は４．２２ｄＢ、標準偏差は０．５９ｄＢであった。
【００５１】
荷重を加えている際にプラグフェルール１２ａを観察すると、本発明の光レセプタクル７では、プラグフェルール１２ａは割スリーブ３に強固に保持されているため、プラグフェルール１２ａがファイバスタブ１に対して水平を維持しているのに対して、比較例の光レセプタクル２７では、プラグフェルール３２ａがファイバスタブ２１に対して傾くことを抑止できず、プラグフェルール３２ａがファイバスタブ２１に対して水平を成しておらず、その結果、プラグフェルール３２ａとファイバスタブ２１の接触が弱まっていることがわかった。
【００５２】
これより本発明の光レセプタクル７は、保持部材６により割スリーブ径の拡張防止を行うことにより、割スリーブ径の拡張防止を行っていない光レセプタクル２７よりも、安定した光信号のやりとりが可能であることがわかった。
【００５３】
またさらに、本発明のサンプル各１０個、比較例のサンプル１０個に対し、金属ホルダに対するケースの引き抜き強度を測定した。結果を表２に示す。
【表２】
2006178384.tif 000004
【００５４】
その結果、本発明の光レセプタクル７では引き抜き強度の最大値は５１０Ｎ、最小値は１２２Ｎ、平均値は３５２Ｎ、標準偏差は３０Ｎであったのに対して、比較例の光レセプタクル２７では、引き抜き強度の最大値は４８０Ｎ、最小値は１０５ＮｄＢ、平均値は３１２Ｎ、標準偏差は３１Ｎであった。
【００５５】
これより本発明の光レセプタクル７は、金属ホルダ４とケース５の固定強度において、嵌合部１３を設けてケース２５と金属ホルダ２４を固定した光レセプタクル２７と同等以上の固定強度を有していることがわかった。
【図面の簡単な説明】
【００５６】
【図１】本発明の一実施形態の光レセプタクルの中央断面図である。
【図２】本発明の一実施形態の光レセプタクルを用いた光モジュールの中央断面図である。
【図３】本発明の光レセプタクルのスリーブ部の断面図である。
【図４】本発明の保持部材の先端形状を示す部分拡大側面図である。
【図５】従来の光レセプタクルを用いた光モジュールの中央断面図である。
【図６】従来の金属ホルダにスリーブ径拡張防止部を設けた光レセプタクルを用いた光モジュールの中央断面図である。
【符号の説明】
【００５７】
１：ファイバスタブ
１ａ：フェルール
１ｂ：貫通孔
１ｃ：光ファイバ
２：接着剤
３：スリーブ
３ａ：スリット
４：金属ホルダ
４ａ：貫通孔
５： ケース
６：保持部材
６ａ、６ｂ：弾性体
７：光レセプタクル
８：レンズ
９：光素子
１０：ケース
１１：光モジュール
１２：光コネクタ
１２ａ：プラグフェルール
１２ｂ：貫通孔
１２ｃ：光ファイバ
１３：嵌合部
１３ａ：オス型嵌合ツメ
１３ｂ：メス型嵌合ツメ
１４：スリーブ径拡張防止部
【図１】
2006178384.tif 000005
【図２】
2006178384.tif 000006
【図３】
2006178384.tif 000007
【図４】
2006178384.tif 000008
【図５】
2006178384.tif 000009
【図６】
2006178384.tif 000010